(57)【要約】【課題】持ち運びが容易なケースを提供する。【解決手段】長方形の布が縦長になるように半分に折り重ねられ、折り重ねられた部分の一方の側の約１／３が前記折り重ねられた部分の他方の側に折り重ねられ、折り重ねられた部分の長手方向の縁の少なくとも一部が接合されているレイヤードケースを提供する。このレイヤードケースは、折り重ねられた部分の他方の側により形成される第１のポケットと、折り重ねられた部分の一方の側により形成される第２のポケットとを有する。【選択図】図１
2013227022.tif 000002
【特許請求の範囲】
【請求項１】
長方形の布が縦長になるように半分に折り重ねられ、折り重ねられた部分の一方の側の約１／３が前記折り重ねられた部分の他方の側に折り重ねられ、前記折り重ねられた部分の長手方向の縁の少なくとも一部が接合されているレイヤードケースであって、
前記折り重ねられた部分の前記他方の側により形成される第１のポケットと、
前記折り重ねられた部分の前記一方の側により形成される第２のポケットとを有するレイヤードケース。
【請求項２】
請求項１において、
前記折り重ねられた部分の長手方向の縁の少なくとも一部が縫合されている、レイヤードケース。
【請求項３】
請求項１または２において、
前記折り重ねられた部分の前記一方の側の折り返し部分が前記他方の側の折り返し部分に接合されている、レイヤードケース。
【請求項４】
請求項１ないし３のいずれかにおいて、
前記折り重ねられた部分の前記一方の側と前記他方の側とで前記布の生地が異なる、レイヤードケース。
【請求項５】
請求項４において、前記他方の側の前記布はタオル地であり、前記一方の側の前記布はガーゼ地である、レイヤードケース。
【請求項６】
長方形の布を縦長になるように半分に折り重ねることと、
折り重ねられた部分の一方の側の約１／３を前記折り重ねられた部分の他方の側に折り重ねることと、
前記折り重ねられた部分の長手方向の縁の少なくとも一部を接合し、前記折り重ねられた部分の前記他方の側により第１のポケットを形成し、前記折り重ねられた部分の前記一方の側により第２のポケットを形成することとを有する、レイヤードケースの製造方法。
【請求項７】
長方形の布を縦長になるように半分に折り重ねることと、
折り重ねられた部分の長手方向の縁を接合することと、
前記折り重ねられた部分の一方の側の約１／３を前記折り重ねられた部分の他方の側に折り重ねることと、
前記折り重ねられた部分の前記一方の側の少なくとも一部を前記折り重ねられた部分の前記他方の側に接合し、前記折り重ねられた部分の前記他方の側により第１のポケットを形成し、前記折り重ねられた部分の前記一方の側により第２のポケットを形成することとを有する、レイヤードケースの製造方法。
【発明の詳細な説明】
【技術分野】
【０００１】
本発明は、ハンディータイプのケースに関するものである。
【背景技術】
【０００２】
特許文献１に、携帯に便利であり、使い易く、保温効果があって持ち易く、しかも飲料容器を有効に保護することができる携帯飲料容器収納ケースが記載されている。この携帯飲料容器収納ケースは、ペットボトル等の飲料容器を収容するケース本体を備え、このケース本体を保温性を有する素材で形成すると共に、ケース本体の側面にファスナーを設け、このファスナーに、首に掛けられるループ状の紐体を係合具で着脱可能に連結している。
【先行技術文献】
【特許文献】
【０００３】
【特許文献１】実用新案登録第３０７５６９５号
【発明の概要】
【発明が解決しようとする課題】
【０００４】
さらに携帯に便利で、多用途に使用できるケースが要望されている。
【課題を解決するための手段】
【０００５】
本発明の一態様は、長方形の布が縦長になるように半分に折り重ねられ、折り重ねられた部分の一方の側の約１／３が折り重ねられた部分の他方の側に折り重ねられ、折り重ねられた部分の長手方向の縁の少なくとも一部が接合されているレイヤードケースである。このレイヤードケースは、折り重ねられた部分の他方の側により形成される第１のポケットと、折り重ねられた部分の一方の側により形成される第２のポケットとを有する。第１のポケットは比較的細長く、第２のポケットと比べると大きいので、ペットボトルやお弁当などを入れて持ち歩くのに適している。第２のポケットは比較的小さく、第１のポケットに入れたペットボトルを保冷または保温するための保冷剤や使い捨てカイロなどを入れるのに適している。
【０００６】
第１のポケットおよび第２のポケットには、上記の他にも種々の小物を入れることができ、用途はさまざまで、ユーザーが適宜利用できる。レイヤードケースを使用しないときや、嵩張るものを入れていないときは、さらに折り畳んでポケットやハンドバックなどに入れて持ち歩くことができる。
【０００７】
折り重ねられた部分の長手方向の縁は、ファスナー、マジックテープ（登録商標）、ボタン、スナップ、縫合などの様々な方法で接合できる。折り重ねられた部分の長手方向の縁の少なくとも一部を縫合してレイヤードケースを組み立てておいてもよく、ファスナー、マジックテープ（登録商標）、ボタン、スナップなどを利用して、その都度、レイヤードケースを組み立ててもよい。
【０００８】
折り重ねられた部分の一方の側の折り返し部分を他方の側の折り返し部分に接合しておくことにより、第２のポケットを２つ用意できる。折り重ねられた部分の一方の側と他方の側とで布の生地を変えることも有効である。布の生地は、いわゆる織物に限定されず、不織布であってもよく、クロロプレンゴムなどの吸水性または透水性のある樹脂製の生地であってもよい。他方の側の布の典型的なものはタオル地であり、一方の側の布の典型的なものはガーゼ地である。いずれもハンカチなどに使用される生地であり、肌触りがよく持ち運びに適しており、さらに、吸湿性も高いのでペットボトルを持ち歩くのに適している。また、折り畳むことによりハンカチとして使用することも可能である。
【０００９】
本発明の他の態様の１つは、レイヤードケースの製造方法であり、以下のステップを含む。
・長方形の布を縦長になるように半分に折り重ねること（ステップＳＴ１）。
・折り重ねられた部分の一方の側の約１／３を前記折り重ねられた部分の他方の側に折り重ねること（ステップＳＴ２）。
・折り重ねられた部分の長手方向の縁の少なくとも一部を接合し、折り重ねられた部分の他方の側により第１のポケットを形成し、折り重ねられた部分の一方の側により第２のポケットを形成すること（ステップＳＴ３）。
【００１０】
本発明のさらに異なる他の態様の１つは、レイヤードケースの製造方法であり、以下のステップを含む。
・長方形の布を縦長になるように半分に折り重ねること（ステップＳＴ１１）。
・折り重ねられた部分の長手方向の縁を接合すること（ステップＳＴ１２）。
・折り重ねられた部分の一方の側の約１／３を前記折り重ねられた部分の他方の側に折り重ねること（ステップＳＴ１３）。
・折り重ねられた部分の一方の側の少なくとも一部を折り重ねられた部分の他方の側に接合し、折り重ねられた部分の他方の側により第１のポケットを形成し、折り重ねられた部分の一方の側により第２のポケットを形成すること（ステップＳＴ１４）。
【図面の簡単な説明】
【００１１】
【図１】レイヤードケースの使用例を示す図。
【図２】レイヤードケースの斜視図。
【図３】レイヤードケースを製造する工程を示す図であり、図３（ａ）は布を縦長に半分に折る様子を示し、図３（ｂ）は折り重ねられた部分を上下に折る様子を示す。
【図４】図３に続いてレイヤードケースを製造する工程を示す図であり、図４（ａ）は上下に折り返された状態を示し、図４（ｂ）は縫合した様子を示す。
【図５】レイヤードケースの他の使用例を示す図。
【図６】レイヤードケースのさらに異なる使用例を示す図。
【図７】図７（ａ）はレイヤードケースの平面図、図７（ｂ）は背面図、図７（ｃ）は左側面図、図７（ｄ）は右側面図、図７（ｅ）は平面図、図７（ｆ）は底面図。
【図８】無地のレイヤードケースの斜視図。
【図９】レイヤードケースを製造する異なる工程を示す図であり、図９（ａ）は布を縦長に半分に折る様子を示し、図９（ｂ）はミミを縫合した後に、折り重ねられた部分を上下に折る様子を示す。
【図１０】図９に続いてレイヤードケースを製造する工程を示す図であり、図１０（ａ）は上下に折り返された状態を示し、図１０（ｂ）は縫合した様子を示す。
【発明を実施するための形態】
【００１２】
図１に、本発明の一実施例の携帯用袋物に小物を入れた例を示している。以下において、この携帯用袋物をレイヤードケースと称するが、ポケットポーチ、ポケットケース、ポケットインポーチなどと称される場合もある。図２に、レイヤードケースの概略構成を斜視図により示している。図３および図４に、レイヤードケースを製造する方法の一例を示している。
【００１３】
レイヤードケース（以降においてはＬケース）１０を製造する際は、まず、図３（ａ）の矢印３１に示すように、長方形の布２０を縦長になるように半分に折り重ねる（ステップＳＴ１）。布２０のサイズの一例は幅２５ｃｍ程度、長さ３７ｃｍ程度であるが、このサイズに限定されない。この布２０の一点鎖線２９より下側（一方の側）２１の約１／３はガーゼ地であり、残りの布２０の上側（他方の側）２２とはタオル地（パイル地）である。布２０は、全体がタオル地であってよく、全体がガーゼ地であってもよく、また、フェルトなどの不織布や、ウェットスーツの生地（クロロプレンゴム製）などであってもよい。一点鎖線２９は生地の境界を示す線である。
【００１４】
布２０の上側２２には大きな水玉模様が付されており、下側２１の、後で折り返したときに表に出る側には小さな水玉模様が付されている。布２０につけられる模様は水玉模様に限定されず、模様が付されていなくてもよい。布２０は、長手方向の端の縫製部分（ミミ）２３と、幅方向（短い方向）の端の縫製部分（ヘム）２４とを含む。ミミ２３およびヘム２４の幅は数ｍｍ程度であるが、幅は１ｃｍ程度であってもよく、ミミ２３およびヘム２４を設けなくてもよい。
【００１５】
次に、図３（ｂ）の矢印３２に示すように、布２０の折り重ねられた部分２５の下側（一方の側）２１の約１／３を、折り重ねられた部分２５の上側（他方の側）２２に折り重ねる（ステップＳＴ２）。すなわち、この例では、生地の境界２９を折り返し線として折り重ねる。
【００１６】
これにより、図４（ａ）に示すように、折り重ねられた部分２５の上側２２により長い袋状の第１のポケット１１が形成され、折り重ねられた部分２５の下側２１により短い袋状（小袋）の第２のポケット１２が形成される。図４（ｂ）に示すように、下側２１が上側２２に折り重ねられた状態で、折り重ねられた部分２５の長手方向の縁を、ミミ２３に沿って縫合し、第１の縫合部１８を形成する（ステップＳＴ３）。さらに、折り重ねられた部分２５の下側２１の折り返し部分２６と、上側２２の折り返し部分２６とが重なった部分を縫合し、第２の縫合部１９を形成する。これにより、第１のポケット１１と２つの第２のポケット１２を有するＬケース１０が形成される。
【００１７】
したがって、図２に示すように、Ｌケース１０は、長手方向の一方の端であるミミ２３が第１の縫合部１８により接合され、長手方向の他方の端は折り返し２６となり、上側の端であるヘム２４が開口となり、下側の端が折り重ねられた部分２５の折り返し２７で閉じられた、細長い袋状の第１のポケット１１を有する。
【００１８】
さらに、Ｌケース１０は、一方の端であるミミ２３が第１の縫合部１８により接合され、他方の端が第２の縫合部１９により接合され、上側の端であるヘム２４が開口となり、下側の端が折り重ねられた部分２５の折り返し２７で閉じられた、正方形に近い形状で、第１のポケット１１より小さい袋状の第２のポケット１２を有する。このＬケース１０では、布２０の下側２１により１つの第２のポケット１２が形成され、布２０の下側２１と上側２２とにより他の１つの第２のポケット１２が形成されている。したがって、Ｌケース１０は重なった２つの第２のポケット１２を有する。
【００１９】
図１に示すように、Ｌケース１０は、第１のポケット１１に、ペットボトル５１や弁当箱などの比較的大きく、長いものを入れることができる。第２のポケット１２には、第１のポケット１１に収納したペットボトル５１などを保冷するために保冷剤５２を入れたり、保温するために使い捨てカイロを入れたりすることに利用できる。第２のポケット１２には、お弁当を食べるスプーンなどを入れたり、ナプキン、筆記用具、メモなどの小物を入れたり、小銭を入れて財布代わりにしたり、財布などを持ち歩く携帯型のポーチとして利用することも可能である。これらのＬケース１０の用途は例示に過ぎず、ユーザーが自ら適当な用途で各ポケット１１および１２を使用できる。
【００２０】
本例のＬケース１０は、第１のポケット１１がタオル地で形成されているので、吸湿性が高く、ペットボトル５１に冷えた飲み物が入っており結露が発生してもＬケース１０で吸収できる。また、Ｌケース１０の上側２２はタオル地なので、Ｌケース１０は保温性も高く、手で持った感触もよい。第２のポケット１２は、下側２１のガーゼ地で形成されているので、タオル地と同様に吸湿性が高く、感触もよい。さらに、ガーゼ地はタオル地よりも薄いので、第１のポケット１１に布地を重ねて第２のポケット１２を形成しても、Ｌケース１０の全体としての厚みの増加は少なく、持運びしやすい。
【００２１】
図５に示すように、Ｌケース１０は、第１のポケット１１を折り返して使ったりすることも可能である。図５に示した例では、第１のポケット１１を折り返して、短いペットボトル５３を収納し、第２のポケット１２に保温用の使い捨てカイロ５４を収納している。Ｌケース１０の上側２２のタオル地を介してペットボトル５３を持てるので、熱い飲み物が入っているペットボトル５３であっても安心して持つことができる。
【００２２】
図６に示すように、Ｌケース１０は、折り畳んでハンカチのように持ち歩くことができる。したがって、Ｌケース１０を使用しないときの持ち運びは極めて容易である。また、Ｌケース１０はタオル地およびガーゼ地なので、ハンカチやタオルのように、手を拭いたり、顔を拭いたりするために使用することができる。また、Ｌケース１０に着ける模様、絵柄は自由なので、水玉模様に限らず、キャラクタの図柄を付けたりして楽しむことも可能である。
【００２３】
図７に、無地の布２０を用いたＬケース１０の一例を６面図により示している。また、図８に、無地の布２０を用いたＬケース１０を斜視図により示している。図７（ａ）は正面図、図７（ｂ）は背面図、図７（ｃ）は左側面図、図７（ｄ）は右側面図、図７（ｅ）は平面図、図７（ｆ）は底面図である。
【００２４】
図９および図１０に、Ｌケース１０の異なる製造方法を示している。図９（ａ）の矢印３１に示すように、長方形の布２０を縦長になるように半分に折り重ねる（ステップＳＴ１１）は共通する。その後、図９（ｂ）に示すように、折り重ねられた部分２５の長手方向の縁をミミ２３に沿って縫合し、第１の縫合部１８を形成する（ステップＳＴ１２）。その後、図９（ｂ）の矢印３２に示すように、布２０の折り重ねられた部分２５の下側（一方の側）２１の約１／３を、折り重ねられた部分２５の上側（他方の側）２２に折り重ねる（ステップＳＴ１３）。
【００２５】
これにより、図１０（ａ）に示すように、折り重ねられた部分２５の上側２２により長い袋状の第１のポケット１１が形成され、折り重ねられた部分２５の下側２１により短い袋状（小袋）の第２のポケット１２が形成される。さらに、図１０（ｂ）に示すように、下側２１が上側２２に折り重ねられた状態で、下側２１のヘム２４の両端を上側２２に縫合し、第３の縫合部１７を形成する（ステップＳＴ１４）。これにより、第１のポケット１１と１つの第２のポケット１２を有するＬケース１０が形成される。
【００２６】
なお、以上で説明したＬケース１０においては、縫合部を形成することによりミミ２３の部分を接合して袋状にしているが、ミミ２３に沿ってファスナー、マジックテープ（登録商標）、ボタンまたはスナップを設けておき、袋が必要になったときにＬケース１０を組み立てられるようにしてもよい。また、Ｌケース１０を構成する布２０は１つの生地で構成されていてもよく、３つ以上の生地で構成されていてもよい。さらに、上記ではミミ２３に沿った全長を縫合しているが、ミミ２３に沿って部分的または断続的に縫合してもよい。また、小袋１２を構成するために折り畳んだ部分のミミ２３に沿った部分も、全長を縫合してもよく、部分的に縫合してもよい。
【符号の説明】
【００２７】
１０  レイヤードケース
【図１】
2013227022.tif 000003
【図２】
2013227022.tif 000004
【図３】
2013227022.tif 000005
【図４】
2013227022.tif 000006
【図５】
2013227022.tif 000007
【図６】
2013227022.tif 000008
【図７】
2013227022.tif 000009
【図８】
2013227022.tif 000010
【図９】
2013227022.tif 000011
【図１０】
2013227022.tif 000012